(57)【要約】【課題】ユーザ認証後に実行するジョブを、該認証を行う装置が実行できない場合でも、出力内容を第三者に見られることなく他の装置に実行させられるようにする。【解決手段】画像形成装置に、ユーザ認証後に画像形成を実行することを指示する機密ジョブを受け付けるジョブ実行要求受付部１３１と、入力された認証情報に基づきユーザを認証するユーザ認証部１３２と、該機密ジョブに係る画像形成を実行可能かを判断するジョブ実行判断部１３４と、ユーザ認証部１３２が認証後に該機密ジョブが実行不可と判断された場合に、画像形成装置及び機密ジョブを特定する情報を含む識別子を生成する識別子生成部１３７と、該生成された識別子をユーザに提示する識別子提示部１３９と、他の画像形成装置から該識別子により特定される機密ジョブの送信を要求された場合に、該他の画像形成装置に対して該機密ジョブを送信するジョブ送信部１４０とを設けた。【選択図】図４
2016037000.tif 000002
【特許請求の範囲】
【請求項１】
画像形成装置であって、
ユーザを認証してから画像形成を実行することを指示するジョブである機密ジョブを受け付けるジョブ受付手段と、
入力された認証情報に基づきユーザを認証する認証手段と、
前記ジョブ受付手段が受け付けた機密ジョブに係る画像形成を実行できるか判断するジョブ実行判断手段と、
前記認証手段がユーザを認証した後に、前記ジョブ実行判断手段が前記機密ジョブに係る画像形成を実行できないと判断した場合に、当該画像形成装置及び実行しようとした機密ジョブを特定する情報を含む識別子を生成する生成手段と、
前記生成手段が生成した識別子をユーザに提示する提示手段と、
他の画像形成装置から、前記識別子により特定される機密ジョブの送信を要求された場合に、該他の画像形成装置に対して該機密ジョブを送信する送信手段とを備えることを特徴とする画像形成装置。
【請求項２】
請求項１に記載の画像形成装置であって、
前記実行できない機密ジョブに係る画像形成を当該画像形成装置の代わりに実行可能な他の画像形成装置を検索する検索手段を備え、
前記提示手段は、前記識別子に加え、前記検索手段が発見した他の画像形成装置の情報もユーザに提示することを特徴とする画像形成装置。
【請求項３】
請求項１又は２に記載の画像形成装置であって、
前記提示手段は、前記識別子を、該識別子をコード化したコード記号としてユーザに提示することを特徴とする画像形成装置。
【請求項４】
請求項１乃至３のいずれか一項に記載の画像形成装置であって、
前記提示手段は、前記識別子を、該識別子により特定される機密ジョブの送信元である情報処理装置に送信することによりユーザに提示することを特徴とする画像形成装置。
【請求項５】
請求項１乃至４のいずれか一項に記載の画像形成装置であって、
前記送信手段が前記他の画像形成装置に機密ジョブを送信した後、該機密ジョブを消去する消去手段を備えることを特徴とする画像形成装置。
【請求項６】
ユーザから識別子の入力を受け付ける入力受付手段と、
前記入力受付手段が識別子の入力を受け付けた場合に、該入力された識別子により特定される装置に対し、該入力された識別子により特定されるジョブの送信を要求する送信要求手段と、
前記送信要求手段の要求に応じて送信されたジョブに従って画像形成を実行する画像形成手段とを備える画像形成装置。
【請求項７】
第１画像形成装置と第２画像形成装置とを備える画像形成システムであって、
前記第１画像形成装置が、
ユーザを認証してから画像形成を実行することを指示するジョブである機密ジョブを受け付けるジョブ受付手段と、
入力された認証情報に基づきユーザを認証する認証手段と、
前記ジョブ受付手段が受け付けた機密ジョブに係る画像形成を実行できるか判断するジョブ実行判断手段と、
前記認証手段がユーザを認証した後に、前記ジョブ実行判断手段が前記機密ジョブに係る画像形成を実行できないと判断した場合に、前記第１画像形成装置及び実行しようとした機密ジョブを特定する情報を含む識別子を生成する生成手段と、
前記生成手段が生成した識別子をユーザに提示する提示手段と、
他の画像形成装置から、前記識別子により特定される機密ジョブの送信を要求された場合に、該他の画像形成装置に対して該機密ジョブを送信する送信手段とを備え、
前記第２画像形成装置が、
ユーザから識別子の入力を受け付ける入力受付手段と、
前記入力受付手段が識別子の入力を受け付けた場合に、該入力された識別子により特定される装置に対し、該入力された識別子により特定されるジョブの送信を要求する送信要求手段と、
前記送信要求手段の要求に応じて送信されたジョブに従って画像形成を実行する画像形成手段とを備えることを特徴とする画像形成システム。
【請求項８】
画像形成装置を制御するコンピュータを、
ユーザを認証してから画像形成を実行することを指示するジョブである機密ジョブを受け付けるジョブ受付手段と、
入力された認証情報に基づきユーザを認証する認証手段と、
前記ジョブ受付手段が受け付けた機密ジョブに係る画像形成を実行できるか判断するジョブ実行判断手段と、
前記認証手段がユーザを認証した後に、前記ジョブ実行判断手段が前記機密ジョブに係る画像形成を実行できないと判断した場合に、前記画像形成装置及び実行しようとした機密ジョブを特定する情報を含む識別子を生成する生成手段と、
前記生成手段が生成した識別子をユーザに提示する提示手段と、
他の画像形成装置から、前記識別子により特定される機密ジョブの送信を要求された場合に、該他の画像形成装置に対して該機密ジョブを送信する送信手段として機能させるためのプログラム。
【請求項９】
画像形成装置を制御するコンピュータを、
ユーザから識別子の入力を受け付ける入力受付手段と、
前記入力受付手段が識別子の入力を受け付けた場合に、該入力された識別子により特定される装置に対し、該入力された識別子により特定されるジョブの送信を要求する送信要求手段と、
前記送信要求手段の要求に応じて送信されたジョブに従って画像形成を実行する画像形成手段として機能させるためのプログラム。
【発明の詳細な説明】
【技術分野】
【０００１】
この発明は、ユーザを認証してから画像形成を実行することを指示するジョブを処理するための画像形成装置、画像形成システム及びプログラムに関する。
【背景技術】
【０００２】
近年、情報漏洩の観点から、第三者に見られることなく、セキュアな状態で文書を印刷等により画像形成するための技術が開発されている。その一つに、パーソナルコンピュータ（ＰＣ）から印刷ジョブとそのジョブの印刷指示が画像形成装置に送信された場合に、個人認証装置にＩＤカード等の自己の個人認証情報媒体を読み込ませる等により、装置の前にいるユーザを認証した後で印刷を行うシステムが知られている。このようなシステムによれば、特定のユーザのみが自己の印刷ジョブの印刷を第三者に見られることなく印刷することができる。
【０００３】
また、印刷ジョブ生成端末から送信されてきた印刷ジョブを印刷する所定のプリンタが故障等により使用できない場合には、印刷可能な他のプリンタをネットワーク上から検索して、その印刷ジョブを転送するというシステムが、特許文献１に開示されている。
【０００４】
このシステムによれば、印刷前に個人認証を行ってから印刷ジョブを転送するため、初めに印刷を実行させようとしたプリンタが故障して印刷ができない場合でも、一応、他のプリンタを利用してセキュアな印刷を実行することができる。
【発明の概要】
【発明が解決しようとする課題】
【０００５】
しかし、特許文献１に開示されたシステムを利用した場合でも、印刷ジョブデータの転送先のプリンタにおいては、ユーザの認証を行うことなく印刷を実行してしまう。従って、当該転送先のプリンタでの印刷時に印刷物の内容を第三者に見られる可能性があり、必ずしもセキュアな印刷が実行できないという問題があった。
このような問題は、印刷以外の画像形成を行う場合にも当然に発生し得るものである。
この発明は、このような問題を解決し、ユーザを認証してから実行するジョブを、該認証を行う装置自身が実行できない場合でも、出力内容を第三者に見られることなく他の装置に実行させられるようにすることを目的とする。
【課題を解決するための手段】
【０００６】
以上の目的を達成するために本発明では、画像形成装置に、ユーザを認証してから画像形成を実行することを指示するジョブである機密ジョブを受け付けるジョブ受付手段と、入力された認証情報に基づきユーザを認証する認証手段と、上記ジョブ受付手段が受け付けた機密ジョブに係る画像形成を実行できるか判断するジョブ実行判断手段と、上記認証手段がユーザを認証した後に、上記ジョブ実行判断手段が上記機密ジョブに係る画像形成を実行できないと判断した場合に、その画像形成装置及び実行しようとした機密ジョブを特定する情報を含む識別子を生成する生成手段と、上記生成手段が生成した識別子をユーザに提示する提示手段と、他の画像形成装置から、上記識別子により特定される機密ジョブの送信を要求された場合に、その他の画像形成装置に対してその機密ジョブを送信する送信手段とを設けることとした。
【発明の効果】
【０００７】
上記の構成によれば、ユーザを認証してから実行するジョブを、該認証を行う装置自身が実行できない場合でも、出力内容を第三者に見られることなく他の装置に実行させられるようにすることができる。
【図面の簡単な説明】
【０００８】
【図１】本発明の画像形成システムの一実施形態の構成を示す図である。
【図２】図１に示した画像形成システムを構成する一の画像形成装置のハードウェア構成図である。
【図３】図２に示した画像形成装置１０の操作部及び認証装置の構成を示す図である。
【図４】図１に示した画像形成システムを構成する各装置が備える、機密ジョブの実行に関する機能の構成を示す機能ブロック図である。
【図５】画像形成装置１０が収集するネットワークＡに接続する画像形成装置のリストである。
【図６】画像形成装置１０のＣＰＵが、機密ジョブの実行指示を検出した場合に実行する処理のフローチャートである。
【図７】画像形成装置１０のＣＰＵが、認証操作を検出した場合に実行する処理のフローチャートである。
【図８】画像形成装置２０のＣＰＵが、識別子の入力を受け付けたときに実行する処理のフローチャートである。
【図９】画像形成装置１０のＣＰＵが、機密ジョブの送信を要求された場合に実行する処理のフローチャートである。
【図１０】図１に示す画像形成システムを構成する各装置がユーザの指示に基づき機密ジョブを実行する場合の各装置の動作の一例を示すシーケンス図である。
【図１１】本発明の実施形態の第１変形例における、図４に示した機能ブロックと対応する機能ブロック図である。
【図１２】本発明の実施形態の第１変形例における、図９の処理と対応する処理を示すフローチャートである。
【図１３】本発明の実施形態の第２変形例における、図７の処理と対応する処理を示すフローチャートである。
【発明を実施するための形態】
【０００９】
以下、本発明を実施するための形態について、図面を用いて説明する。
まず図１に、本発明の画像形成システムの一実施形態の構成を示す。
図１に示す画像形成システムは、画像形成装置１０、画像形成装置２０ａ，２０ｂ・・・、およびＰＣ（パーソナルコンピュータ）３０ａ，３０ｂ，３０ｃ・・・をネットワークＡにより接続して構成したものである。ネットワークＡは各装置を相互に通信可能に接続するための通信路であり、有線、無線を問わず、任意の規格のものを用いることができ、インターネットでも、ＬＡＮ（ローカルエリアネットワーク）でも構わない。
【００１０】
図１の画像形成システムを構成する画像形成装置のうち、少なくとも１台は認証機能を備えたものである。ここでは、画像形成装置１０が認証機能を備えていることとする。画像形成装置２０ａ，２０ｂは認証機能を備えていても、いなくてもよい。画像形成装置１０が第１画像形成装置、画像形成装置２０ａ，２０ｂが第２画像形成装置である。
【００１１】
また、画像形成装置１０，２０ａ，２０ｂはプリント機能を有しており、ネットワークＡに接続しているＰＣ３０ａ、３０ｂ、３０ｃが行う画像形成指示に従って、印刷により用紙に画像を形成することができる。プリント機能に加え、スキャン、コピー、ファクシミリ送信、文書蓄積等の機能を備えたＭＦＰ（デジタル複合機：Multi  Function  Peripheral）であってもよい。
【００１２】
ＰＣ３０ａ，３０ｂ，３０ｃは、ユーザが操作する端末装置であり、情報処理装置である。また、ユーザから後述する機密ジョブを含む各種ジョブを画像形成装置１０，２０ａ，２０ｂに実行させる指示を受け付け、その指示に係るジョブを該当の装置に実行させる機能を備える。なお、ＰＣ３０ａ，３０ｂ，３０ｃは、これらのジョブの取り扱いが可能であれば、タブレットコンピュータやスマートフォン等の携帯端末であってもよい。
【００１３】
画像形成システムを構成する画像形成装置及びＰＣの数は特に限定されない。機種等についても、上述した各機能を備えていれば、特に限定されない。また、以下の説明において、画像形成装置２０ａ，２０ｂの個体を特定する必要がない場合、画像形成装置２０の符号を用いる。ＰＣについても、同様にＰＣ３０の符号を用いる。
【００１４】
図２は、画像形成システムを構成する画像形成装置１０のハードウェア構成図である。
画像形成装置１０は、図２に示すように、コントローラ１０１、画像処理・エンジン制御部１１０、画像読取部１１１、プロッタ部１１２、操作部１２０、および認証装置１２１を備える。また、コントローラ１０１は、ＣＰＵ１０２、ＲＡＭ１０３、ＲＯＭ１０４、ＨＤＤ（ハードディスクドライブ）１０５、ネットワークＩ／Ｆ（インターフェース）１０６、オプションＩ／Ｆ１０７、および操作部Ｉ／Ｆ１０８を備え、これらはシステムバス１０９によって接続されている。
【００１５】
上記構成のうち、ＣＰＵ１０２は、ＲＡＭ１０３をワークエリアとしてＲＯＭ１０４又はＨＤＤ１０５に記憶されたプログラムを実行することにより、画像形成装置１０全体を制御し、後述する種々の機能を実現する。
ネットワークＩ／Ｆ１０６は、画像形成装置１０をネットワークＡに接続するためのインターフェースである。
【００１６】
オプションＩ／Ｆ１０７は、認証装置１２１をシステムバス１０９に接続してＣＰＵ１０２から制御可能とするためのインターフェースである。
操作部Ｉ／Ｆ１０８は、操作部１２０をシステムバス１０９に接続してＣＰＵ１０２から制御可能とするためのインターフェースである。
【００１７】
画像読取部１１１は、原稿の画像を読み取ってその画像データを取得する機能を備えた画像読取手段である。プロッタ部１１２は、入力された画像データに基づき用紙に画像を形成する機能を備えた画像形成手段である。
【００１８】
画像処理・エンジン制御部１１０は、画像読取部１１１やプロッタ部１１２を制御するための機構であり、コントローラ１０１に接続して、ＣＰＵ１０２から制御可能とする。例えば、プロッタ部１１２がトナー切れ、紙詰まり、その他何らかの故障によって画像形成動作ができない場合、画像処理・エンジン制御部１１０はＣＰＵ１０２に画像形成不可という情報を伝える。
【００１９】
操作部１２０は、ユーザからの操作を受け付けるためのキー、ボタン、タッチセンサ等の操作手段と、ユーザに対して情報を提示するためのディスプレイ等の表示手段とを備えるユーザインタフェースである。
【００２０】
認証装置１２１は、ユーザを認証するための認証情報の入力を受け付け、その認証情報を用いてユーザを認証する機能を備える認証手段である。認証装置１２１に設ける認証機能で用いる認証方式は、任意であり、近距離無線通信システム（Near  Field  Communications）を利用した認証、指紋認証、静脈認証、ユーザ名とパスワードの組み合わせによる認証等が考えられる。また、専用の認証装置１２１を設けず、操作部１２０から入力されたユーザ名やパスワード等の認証情報を用いてＣＰＵ１０２が認証処理を実行する構成であってもよい。
【００２１】
いずれにせよ、認証装置１２１が認証するユーザの情報は、画像形成装置１０が参照可能な位置に予め登録しておく。登録先は、ＲＯＭ１０４或いはＨＤＤ１０５のような内部の記憶手段でも、外部のサーバ装置等が備える記憶手段でもよい。また、認証装置１２１は認証情報の入力のみ受け付け、認証処理自体を、認証サーバ等の外部装置に行わせる構成も妨げられない。
【００２２】
画像形成装置１０においては、操作部１２０と認証装置１２１とを一体として設けている。
なお、図１に示した他の装置の構成も、エンジン部をはじめとする各部の詳細な構成は装置に応じて異なるが、基本的な構成は画像形成装置１０と同様である。
【００２３】
図３に、認証装置１２１を含む操作部１２０の構成を示す。
図３に示すように、操作部１２０には、認証装置１２１、ホームキー１２２、省エネキー１２３、印刷中断キー１２４、スタートキー１２５、タッチパネル１２６を備える。
このうち認証装置１２１としては、近距離無線通信システムによりＩＣカードからユーザの認証情報を読み取って認証を行う装置を採用している。
【００２４】
ホームキー１２２は、ホーム画面の表示を指示するためのキーである。
省エネキー１２３は、画像形成装置１０を消費電力の少ない省電力モード状態に遷移させることを指示するためのキーである。
印刷中断キー１２４は、実行中の印刷（画像形成）の中断を指示するためのキーである。
スタートキー１２５は、印刷の開始を指示するためのキーである。
【００２５】
タッチパネル１２６は、表示手段である液晶ディスプレイ（ＬＣＤ：Liquid  Crystal  Display）に操作手段であるタッチセンサを積層し、ユーザに対する情報の表示と、ＧＵＩ（グラフィカルユーザインタフェース）を用いたユーザからの操作受付を行う機能を備える。
なお、図３の例において、タッチパネル１２６には、機密ジョブを他の画像形成装置に代理で実行させる際に用いる識別子（ＩＤ）と、その代理実行の操作方法を説明するメッセージが表示されているが、この点については後述する。
【００２６】
以上の画像形成システムにおいて特徴的な点の一つは、ユーザを認証してから動作（ここでは画像形成）を実行することを指示するジョブである機密ジョブの実行に関する機能である。そこで、以下この点について説明する。
【００２７】
図４に、画像形成装置１０、画像形成装置２０、ＰＣ３０が備える、機密ジョブの実行に関連する機能の構成を示す。なお、機密ジョブでない通常のジョブも、図４に示す機能により実行可能である。また、図４に示した各部の機能は、各装置のＣＰＵが所要のプログラムを実行して該装置のハードウェアを制御することにより実現されるものである。
【００２８】
まず、ＰＣ３０は、ジョブ実行指示受付部３０１と、ジョブ実行要求部３０２とを備える。
このうちジョブ実行指示受付部３０１は、図示しないＧＵＩ等により、ユーザから、画像形成装置１０にジョブを実行させる指示を受け付ける機能を備える。ジョブが機密ジョブであることの設定や、機密ジョブを実行可能なユーザの指定は、このジョブ実行指示受付部３０１が受け付ける。また、ＰＣ３０が自動的にジョブの実行指示を生成することも考えられる。
【００２９】
ジョブ実行要求部３０２は、ジョブ実行指示受付部３０１が受け付けた指示に基づき、ネットワークＡを介して画像形成装置１０に該指示に係るジョブの情報を送信し、その実行を要求する機能を備える。ここで送信する情報には、ジョブが機密ジョブであることの設定や、機密ジョブを実行可能なユーザの指定も含まれる。
これら各部の機能は、画像形成装置１０と対応するプリンタドライバ等により実現されるものである。
【００３０】
また、画像形成装置１０は、ジョブ実行要求受付部１３１、ユーザ認証部１３２、ジョブ提示部１３３、ジョブ実行判断部１３４、ジョブ記憶部１３５、ジョブ実行部１３６、識別子生成部１３７、検索部１３８、識別子提示部１３９、ジョブ送信部１４０、ジョブ消去部１４１を備える。
これらのうち、ジョブ実行要求受付部１３１は、ＰＣ３０のジョブ実行要求部３０２が行ったジョブの実行要求を受け付ける機能を有する。この機能はジョブ受付手段の機能に該当する。
【００３１】
ユーザ認証部１３２は、ユーザが入力した認証情報に基づきユーザを認証する機能を有する。認証情報の入力受付は、上述のように認証装置１２１を用いて行うことができる。そして、ユーザ認証部１３２は、画像形成装置１０が参照可能な位置に予め登録してあるユーザの情報の中から、ユーザが入力した認証情報と一致するものが存在するか否かを判断する。一致するものがあれば、認証情報を入力したユーザは該一致したユーザであると認証する。この機能は認証手段の機能に該当する。
【００３２】
認証情報の登録先は、ＲＯＭ１０４或いはＨＤＤ１０５のような内部記憶手段でも、外部のサーバ装置等が備える記憶手段でもよい。また、ユーザ認証部１３２は認証情報の入力のみを受け付け、その照合は、認証サーバ等の外部装置に行わせる構成としてもよい。この場合は、認証情報の入力を受付、その結果を外部装置から取得する機能がユーザ認証部１３２による認証機能である。
【００３３】
ジョブ提示部１３３は、ユーザ認証部１３２がユーザ認証を完了した後に、ジョブ記憶部１３５に保存されているジョブのうち、その認証したユーザに実行を許可できるもののリストを提示する機能を備える。また、そのリストの中から実行すべきジョブの選択とその実行指示をユーザから受け付ける機能を有する。
【００３４】
リストの提示先は画像形成装置１０のタッチパネル１２６であるが、実行を指示したユーザのＰＣ３０のディスプレイや、ユーザが所持する携帯情報端末等のディスプレイ等、ユーザが使用することが想定される任意の装置のディスプレイ等であって、ジョブの確認ができるものであればよい。
【００３５】
ジョブ実行判断部１３４は、画像形成装置１０が実行しようとするジョブについて、その実行が可能か否かを判断する機能を有する。この判断は、機密ジョブでないジョブについては、ジョブ実行要求受付部１３１が実行の要求を受け付けた後にすぐ行えばよいし、機密ジョブについては、そのジョブの実行が許可されているユーザの認証が完了し、且つそのユーザからジョブ提示部１３３がジョブの実行指示を受け付けた場合に行えばよい。
この機能はジョブ実行判断手段の機能に該当する。
【００３６】
また、ジョブが実行不可能な場合とは、プロッタ部１１２でトナー切れ、紙詰まり、その他何らかの不具合が発生しており、画像形成装置１０において、ジョブが示す内容の画像形成自体の実行が不可能な場合が考えられる。
【００３７】
ジョブ記憶部１３５は、ジョブ実行判断部１３４が実行不可と判断した場合に、そのジョブを記憶することにより、保存しておく機能を有する。また、ジョブ記憶部１３５は、実行を要求されたジョブが機密ジョブである場合には、そのジョブの実行が許可されているユーザの認証が完了し、且つそのユーザからジョブ提示部１３３がジョブの実行指示を受け付けるまでは、そのジョブを保存しておく。
【００３８】
ジョブが保存されるのは、ＲＯＭ１０４或いはＨＤＤ１０５のような内部記憶手段である。なお、当該ジョブをネットワークＡ上に備えられたサーバ装置等の外部の記憶手段に保存してもよい。その場合、ジョブ記憶部１３５は、ネットワークＩ／Ｆ１０６を介して外部の記憶手段に当該ジョブを保存する。
【００３９】
ジョブ実行部１３６は、ジョブを実行する機能を備える。ジョブの実行とは、ジョブが画像形成ジョブであれば、プロッタ部１１２を制御して、ジョブの情報に含まれる画像を、ジョブの情報に含まれる設定に従って用紙に形成することである。
機密ジョブ以外のジョブについては、ジョブ実行要求受付部１３１がジョブの実行要求を受け付け、ジョブ実行判断部１３４がそのジョブを実行可能であると判断した場合に、ジョブ実行部１３６がそのジョブを実行する。
【００４０】
機密ジョブについては、ジョブ実行要求受付部１３１がジョブの実行要求を受け付けた後、ジョブ記憶部１３５が一旦保存する。その後、ユーザ認証部１３２がユーザの認証を完了し、ジョブ提示部１３３がユーザからジョブの実行指示を受け付け、ジョブ実行判断部１３４がそのジョブを実行可能であると判断した場合に、ジョブ実行部１３６がそのジョブを実行する。
【００４１】
識別子生成部１３７は、画像形成装置１０と機密ジョブとを特定する情報を含む識別子を生成する機能を有する。また、この識別子の生成は、そのジョブの実行が許可されているユーザの認証が完了しそのユーザからジョブの実行指示を受け付けたにも関わらず、不具合発生等によりジョブ実行判断部１３４がその機密ジョブの実行ができないと判断した場合に行う。この機能は、生成手段の機能に該当する。
【００４２】
なお、画像形成装置１０を特定する情報としては、ネットワークＡ上での装置名やＩＰアドレスが考えられるが、画像形成装置１０を特定可能なものであれば、これらに限定されるものではない。
機密ジョブを特定する情報としては、画像形成に係るファイル名やジョブＩＤが考えられる。これらの情報を平文でそのまま記載したものを識別子としてもよいが、入力の便宜を考えると、短い文字数に可逆圧縮することが望ましい。このようにすれば、他人に盗み見られても覚えられにくいという利点もある。
【００４３】
検索部１３８は、ジョブ実行判断部１３４が実行不可と判断したジョブについて、ネットワークＩ／Ｆ１０６を介して、ネットワークＡ上の画像形成装置２０（画像形成装置１０以外の画像形成装置）の中から、そのジョブを代わりに実行可能な装置を検索し、そのリストを生成する機能を有する。この機能は検索手段の機能に該当する。
【００４４】
検索部１３８は、例えば、実行しようとするジョブの情報に含まれる設定情報から、そのジョブの実行に必要な機能を特定し、その機能を、予め登録しておいたネットワークＡ上の画像形成装置の情報と照らし合わせて、ジョブの実行が可能な装置を特定できる。さらに、その特定した各装置に対し、ジョブを実行中でないか、異常が発生していないか等を問い合わせ、ただちに画像形成を実行できるものを抽出して、最終的な検索結果とするとよい。
【００４５】
予め登録しておく情報は、例えば、ネットワークＡ上に接続している画像形成装置２０のアドレス（アクセス先）及び名前（表示用文字列）と、各装置が備える画像形成機能（例えば、両面、カラー、後処理（ステープル、パンチ、ソートなど）等の機能）の情報とすることが考えられる。図５にその一例を示す。これらの情報は、予め各装置にアクセスして収集しておくとよい。しかし、ジョブを実行中でないか、異常が発生していないか等を問い合わせと当時にこれらの情報を収集することも妨げられない。この場合、ジョブを実行可能な装置の特定は、機能面からの特定と、状態面からの特定とを同時にあるいは並行して行うことになる。
【００４６】
識別子提示部１３９は、識別子生成部１３７が生成した識別子をユーザに提示する機能を有する。この機能は提示手段の機能に該当する。提示先はここでは画像形成装置１０のディスプレイであり、図３に示したように提示を行うことができる。しかし、ジョブの送信元のＰＣ３０や、ユーザが所持する携帯情報端末等、ユーザが使用することが想定される装置に送信して提示させることもできる。
後述するように、ユーザは、画像形成装置１０で実行できなかったジョブを代わりに実行させる画像形成装置２０を適宜選択し、提示された識別子をその画像形成装置２０に入力する。
【００４７】
なお、識別子提示部１３９は、識別子を、そこに含まれる情報をコード化したコード記号により提示してもよい。例えば、識別子をＱＲコード（登録商標）として表示し、スマートフォン等の携帯端末で読み取ることができるようにすれば、ユーザが識別子をメモ等に書きとめたり、覚えたりする手間が必要なくなる。また、他人に盗み見られても覚えられることもない。同様に、電子メールやピアツーピアの無線通信によりユーザの持つ端末装置に識別子をデータとして送信することも考えられる。
【００４８】
また、識別子提示部１３９は、識別子に加え、検索部１３８が生成した検索結果（検索部１３８が発見した、ジョブを代わりに実行可能な画像形成装置のリスト）を合わせて提示してもよい。このリストには特に拘束力はないが、ユーザがジョブを代わりに実行させる画像形成装置２０を選択する際に参考にすることができる。
【００４９】
ジョブ送信部１４０は、ユーザが識別子を入力した他の画像形成装置２０から、ジョブの送信を要求された場合に、この要求に応じて、当該ジョブの情報を要求元の画像形成装置２０に送信する機能を有する。
ジョブ消去部１４１は、ジョブ送信部１４０が要求に応じてジョブを送信した後、ジョブ記憶部１３５が保存していた当該ジョブを消去する。
【００５０】
一方、画像形成装置２０は、識別子受付部２０１、ジョブ取得部２０２、ジョブ提示部２０３、ジョブ実行部２０４を備える。
識別子受付部２０１は、ユーザから識別子の入力を受け付ける機能を備える。この識別子は、画像形成装置１０の識別子生成部１３７が生成したものである。
【００５１】
また、識別子の入力は、テキスト文字列として受け付けてもよいし、画面に表示されたり紙に印刷されたりした文字やコード記号を不図示の読取手段により読み取って受け付けてもよい。ピアツーピアの無線通信で、ユーザが持つ端末装置からのデータの入力として受け付けてもよい。
【００５２】
また、識別子受付部２０１は、入力された識別子から、識別子を生成した画像形成装置１０と、実行すべきジョブとを特定する情報を取り出す機能を有する。これらの情報が暗号化や圧縮されて識別子に含まれている場合には、識別子受付部２０１は、復号化や解凍の処理を行う。そして、予め定められた手順で画像形成装置１０及び実行すべきジョブを特定する情報を取り出せたことをもって、入力された識別子が正しい（機密ジョブを取り扱う機能を備えた装置が確かに発行した）ものであることを確認できる。
【００５３】
ジョブ取得部２０２は、識別子受付部２０１が識別子から取り出した情報に基づき、識別子を生成した画像形成装置１０に対し、実行すべきジョブの送信を要求する機能を備える。また、この要求に応じて画像形成装置１０が送信してくるジョブの情報（ジョブを実行するために必要な全ての情報）を受信する機能を有する。
【００５４】
ここで受信するジョブの情報は、機密ジョブに係るものであることが想定されるが、画像形成装置２０はこのことを認識する必要はなく、通常のジョブとして取り扱ってよい。機密ジョブの実行権限を確認するための認証は、画像形成装置１０が識別子の生成前に行っているはずだからである。
【００５５】
ジョブ提示部２０３は、ジョブ取得部２０２がジョブの情報を受信した後、当該ジョブをユーザに提示して、実行可否の指示を受け付ける機能を有する。ジョブの提示先およびジョブの実行可否指示の入力先は、画像形成装置２０のディスプレイである。ここで指示を受け付けるのは、ユーザが誤って意図しないジョブに関する識別子を入力してしまうことがあり得るので、実行前に念のためジョブの内容を確認させるためである。この確認は省略し、ジョブ取得部２０２がジョブの情報を取得した場合に、ジョブ実行部２０４がただちにそのジョブを実行するようにしてもよい。
【００５６】
ジョブ実行部２０４は、ジョブ取得部２０２が受信し、ジョブ提示部２０３がユーザから実行可の指示を受け付けたジョブを実行する機能を有する。ジョブの実行自体の機能は、画像形成装置１０のジョブ実行部１３６と同様である。
以上が、各部が有する機能の説明である。
【００５７】
次に、図１に示した各装置が実行する、ジョブの実行に関連する処理について説明する。なお、以下に説明する処理は、機密ジョブの取り扱いに関する処理を中心に示すものである。
図６は、画像形成装置１０のＣＰＵ１０２が、ジョブの実行指示を受け付けた場合に実行する処理のフローチャートである。
まず、画像形成装置１０のＣＰＵ１０２は、受け付けたジョブが機密ジョブであるか否かを判断する（Ｓ２１）。
【００５８】
ステップＳ２１でＹｅｓであれば、ＣＰＵ１０２は、受け付けたジョブを、ユーザを認証した後で実行するために保存して（Ｓ２２）、処理を終了する。
ステップＳ２１でＮｏであれば、認証を待つ必要はないため、ＣＰＵ１０２は、受け付けたジョブを実行して（Ｓ２３）、処理を終了する。ジョブの実行に関する処理は公知のものでよいので、詳細な説明は省略する。
【００５９】
図７は、画像形成装置１０のＣＰＵ１０２が、ユーザが認証情報を入力したことを検出した場合に実行する処理のフローチャートである。
画像形成装置１０のＣＰＵ１０２は、ユーザが入力した認証情報について、予め登録してあるユーザの情報と照合して認証処理を行う（Ｓ３１）。ＣＰＵ１０２は、照合したデータに一致したものがあるか否か、すなわち認証成功か否かを判断する（Ｓ３２）。一致するものがない場合、すなわち認証失敗の場合（Ｓ３２のＮｏ）は、この処理を終了する。一致するものがある場合（Ｓ３２のＹｅｓ）は、認証情報を入力したユーザはその認証情報と対応して登録されているユーザであると認証したことになり、ステップＳ３３以下の処理に進む。
【００６０】
ここでは、ＣＰＵ１０２は、保存されているジョブの中から、ステップＳ３２で認証したユーザが実行可能な機密ジョブを選択する（Ｓ３３）。図４の説明で述べたように、機密ジョブにはそのジョブを実行可能な（実行する権限を持つ）ユーザを指定する情報が含まれるので、この情報に基づきステップＳ３３の選択を行うことができる。
次に、ＣＰＵ１０２は、画像形成装置１０が、ステップＳ３３で選択した機密ジョブの実行が可能な状態か否かを判断する（Ｓ３４）。実行不可の場合とは、前述したとおり、プロッタ部１１２でトナー切れ、紙詰まり、その他何らかの不具合が発生しており、画像形成装置１０において、ジョブが示す内容の画像形成自体の実行が不可能な場合等が考えられる。特に実行不可の理由がなければ、実行可能と考えられる。
【００６１】
ジョブの実行が可能な場合（Ｓ３４のＹｅｓ）、ＣＰＵ１０２は、ステップＳ３３で選択したジョブを実行し（Ｓ３８）、この処理を終了する。
一方、ジョブの実行が不可能な場合（Ｓ３４のＮｏ）、ＣＰＵ１０２は、ネットワークＡに接続している画像形成装置２０の中から、ジョブを実行可能な画像形成装置を検索し、そのリストを生成する（Ｓ３５）。この検索は、検索部１３８の機能と対応するものである。
【００６２】
次に、ＣＰＵ１０２は、ステップＳ３３で選択した機密ジョブと、画像形成装置１０自身とを特定するための情報を含む識別子を生成する（Ｓ３６）。この生成は、識別子生成部１３７の機能と対応するものである。
最後に、ＣＰＵ１０２は、ステップＳ３５で生成したリスト及びステップＳ３６で生成した識別子を、タッチパネル１２６に表示させることにより提示して、この処理を終了する（Ｓ３７）。
【００６３】
以上の処理により、画像形成装置１０は、認証したユーザが実行する権限を持つ機密ジョブを、装置の不具合等により実行できない場合に、そのジョブを特定する情報を含む識別子をユーザに提示することができる。ユーザは、代わりにそのジョブを実行させる他の画像形成装置２０にその識別情報を入力することにより、画像形成装置２０にそのジョブを実行させることができる。ステップＳ３７で提示するリストは、その候補となる画像形成装置のリストである。
【００６４】
図８は、画像形成装置２０のＣＰＵが識別子の入力を検出した場合に実行する処理のフローチャートである。
画像形成装置２０は、ユーザから識別子の入力を受け付けたことを検出すると、図８のフローチャートに示す処理を開始する。この時点では、識別子が正しいものかどうかを把握している必要はない。
図８の処理においてまず、画像形成装置２０のＣＰＵは、入力された識別子から、画像形成装置を特定するための情報と機密ジョブを特定するための情報とを取り出す（Ｓ４１）。この取り出しは、識別子受付部２０１の機能と対応するものである。
【００６５】
情報が取り出せた場合（Ｓ４２のＹｅｓ）は、次のステップＳ４３の処理を行う。情報が取り出せなかった場合（Ｓ４２のＮｏ）は、図８の処理を終了する。
なお、情報が取り出せなかった場合は、再度ＣＰＵにステップＳ４２の処理を予め設定した回数行わせ、それでもなお情報が取り出せなかった場合に、この処理を終了するという処理にしてもよい。また、終了するまえに、情報が取り出せなかった（識別子が正しいものでない）旨のメッセージをユーザに提示してもよい。
【００６６】
ステップＳ４２がＹｅｓの場合、ＣＰＵは、ステップＳ４１で識別子から取り出した情報から特定される画像形成装置１０に対して、ステップＳ４１で識別子から取り出した情報（ファイル名やジョブＩＤなど）から特定される機密ジョブを送信することを要求する。
画像形成装置２０のＣＰＵが、この要求に応じて機密ジョブを画像形成装置１０から受信した場合（Ｓ４４のＹｅｓ）は、次のステップＳ４５の処理を行う。
一方、受信しなかった場合（Ｓ４４のＮｏ）は、図８の処理を終了する。送信できない旨の応答を受けた場合だけでなく、一定時間以内に応答がなかった場合も、ステップＳ４４はＮｏとなる。この場合には、ジョブが取得できなかった旨のメッセージをユーザに提示するとよい。
【００６７】
ステップＳ４４がＹｅｓの場合、画像形成装置２０のＣＰＵは、受信した機密ジョブを、ユーザからの操作を受け付けることが可能なディスプレイ等に提示し、ユーザからのジョブの実行可否の指示を受け付ける（Ｓ４５）。なお、画像形成装置２０は、機密ジョブと対応する正しい識別子が入力されたことで、その機密ジョブを保持する画像形成装置１０において実行権限が確認されていると認識し、改めて認証処理を行う必要はない。従って、受信するジョブには、そのジョブが機密ジョブか否かを示す情報や、実行権限のあるユーザを示す情報が含まれている必要はない。
【００６８】
ＣＰＵは、ステップＳ４５で受け付けた指示が実行の場合（Ｓ４６のＹｅｓ）は、ステップＳ４４で受信したジョブを実行し（Ｓ４７）、図８の処理を終了する。一方、受け付けた指示が実行不可の場合（Ｓ４６のＮｏ）は、図８の処理を終了する。
以上の処理により、画像形成装置２０は、ユーザから正しい識別子が入力された場合に、その識別子を生成した画像形成装置１０から、その識別子と対応する機密ジョブのデータを取得し、そのジョブを実行することができる。ユーザから見れば、画像形成装置１０に実行させるつもりだったが機器の異常等により実行させられなかった機密ジョブを、画像形成装置２０に代わりに実行させることができる。
【００６９】
図９は、画像形成装置２０から機密ジョブの送信要求があった場合に、画像形成装置１０のＣＰＵ１０２が実行する処理のフローチャートである。
ＣＰＵ１０２は、画像形成装置２０が図８のステップＳ４３で送信してくる機密ジョブの送信要求を受信すると、図９のフローチャートに示す処理を開始する。この送信要求には、機密ジョブを特定するファイル名やジョブＩＤなどの情報が含まれる。
図９の処理においてまず、ＣＰＵ１０２は、要求された機密ジョブが存在するか否かを判断する（Ｓ５１）。
【００７０】
存在する場合（Ｓ５１のＹｅｓ）、該当する機密ジョブを読み出し（Ｓ５２）、読み出した機密ジョブを、送信要求元の画像形成装置２０に送信する（Ｓ５３）。そして、送信が完了したら、そのジョブを消去し（Ｓ５４）、図９の処理を終了する。
一方、ステップＳ５１で存在しない場合は、ジョブを送信せずに図９の処理を終了する。このとき、画像形成装置２０に対し、該当するジョブがない旨の応答を送信してもよい。
【００７１】
次に、ユーザが機密ジョブの実行指示を出した場合に、図６乃至図９に示した処理に従い図１に示す画像形成システムを構成する各装置が行う動作の流れについて説明する。図１０は、画像形成装置１０が機密ジョブを実行できず、画像形成装置２０にそのジョブを代理で実行させる場合の動作例を示すシーケンス図である。
図１０の動作において、最初に、ユーザがＰＣ３０に機密ジョブの実行指示を行う（Ｓ１１１）。ＰＣ３０は当該実行指示を受け付けた後、認証機能を有する画像形成装置１０に、実行指示に係るジョブを送信し、その実行を要求する（Ｓ１１２）。
【００７２】
画像形成装置１０は、受信した機密ジョブを記憶することにより、保存する（Ｓ１１３）。
次に、ユーザは、画像形成装置１０の認証装置１２１に、自己の認証情報を入力する（Ｓ１１４）。画像形成装置１０は、入力された認証情報を、予め登録していた複数のユーザの認証情報と照合して、一致するものを検出することでユーザを認証（Ｓ１１５）する。
【００７３】
認証情報を入力したユーザが認証されると、画像形成装置１０は、保存されている機密ジョブの中から、そのユーザが実行可能な機密ジョブ（ここではステップＳ１１２でＰＣ３０から送信された機密ジョブ）を選択する（Ｓ１１６）。
【００７４】
実行すべきジョブが選択されると、画像形成装置１０は、自身が当該機密ジョブを実行可能な状態であるか否か確認をする（Ｓ１１７）。ここでは、トナー切れ、紙詰まり、その他何等かの不具合が発生しているとし、画像形成装置１０はジョブの実行不可と判断する（Ｓ１１８）。
【００７５】
この場合、画像形成装置１０は、ネットワークＡに接続する複数の画像形成装置から、該当のジョブを代理で実行可能と考えられる装置を特定する。ここでは画像形成装置２０が特定されたとする。そして、画像形成装置１０は、特定された画像形成装置２０（複数ある場合にはその各々）に対して、現在ジョブの実行が可能か否かを問い合わせる（Ｓ１１９）。問い合わせ先の画像形成装置２０は、この問い合わせに対して、実行可能か否かを応答する（Ｓ１２０）。
【００７６】
次に、画像形成装置１０は、ステップＳ１２０の応答結果から、機密ジョブを代理で実行可能な画像形成装置のリストを生成する（Ｓ１２１）。
また、画像形成装置１０は、画像形成装置１０を特定する情報と該当の機密ジョブを特定する情報とを含んだ識別子を生成する（Ｓ１２２）。
そして、画像形成装置１０は、ステップＳ１２１で生成したリストとステップＳ１２２で生成した識別子を、タッチパネル１２６に表示してユーザに提示する（Ｓ１２３）。
【００７７】
ユーザは、提示された識別子をメモし（又は適当な装置に記憶させ）提示されたリストを参考に、機密ジョブを代理で実行させる画像形成装置２０を選択し、その選択した装置に識別子を入力する（Ｓ１２４）。
識別子の入力を受け付けた画像形成装置２０は、入力された識別子から、当該識別子を生成した画像形成装置１０を特定するための情報と機密ジョブを特定するための情報とを取り出す（Ｓ１２５）。
【００７８】
そして、画像形成装置２０は、取り出した情報に基づき、識別子を生成した画像形成装置１０に、識別子から取り出した情報から特定される機密ジョブの送信を要求する（Ｓ１２６）。
その送信要求を受けた画像形成装置１０は、当該機密ジョブを画像形成装置２０に送信し（Ｓ１２７）、その後当該機密ジョブを消去する（Ｓ１２８）。
【００７９】
一方、画像形成装置２０は、送信要求に応じて送信された機密ジョブを受信する（Ｓ１２７）と、その機密ジョブをユーザからの操作を受け付けることが可能なディスプレイ等に提示する（Ｓ１２９）。ユーザは、提示された機密ジョブを確認した後、ジョブの実行を指示する（Ｓ１３０）。
【００８０】
画像形成装置２０のＣＰＵは、当該機密ジョブの実行の指示を受けて、トナー切れ、紙詰まり、その他何らかの不具合が発生することにより、ジョブの実行が不可能な状態となっていなければ、ジョブの実行が可能であると判断し、ジョブを実行する（Ｓ１３１）。
以上が、画像形成システムの一実施形態を利用して、機密ジョブを実行する場合の流れである。
【００８１】
以上の画像形成システムによれば、画像形成装置１０が、ユーザを認証した後で機密ジョブに係る画像形成を実行できないと判断した場合に、画像形成装置１０自身及び実行しようとした機密ジョブを特定する情報を含む識別子を生成し、ユーザに提示する。また、他の画像形成装置から、その識別子により特定される機密ジョブの送信を要求された場合に、その他の画像形成装置に対してその機密ジョブを送信する。
【００８２】
このことにより、機密ジョブの実行を最初に指示された画像形成装置１０で不具合によりそのジョブが実行できない場合でも、他の画像形成装置２０に代理で実行させることができる。この場合において、画像形成装置１０は、ユーザを認証した後で識別子を生成するため、その識別子を入力された画像形成装置２０においてユーザを認証することができない場合でも、識別子から取り出した情報に従って画像形成装置１０からジョブを取得できたことをもって、ジョブの実行権限を持つユーザであることを確認できる。従って、認証機能を備えない画像形成装置２０での代理実行を許可しても、第三者に不正にジョブを実行されることがなく、セキュリティを維持することができる。
【００８３】
また、画像形成装置１０が、機密ジョブを代理で実行可能な画像形成装置２０を検索し、その検索結果をユーザに提示するようにすれば、ユーザがジョブを代理で実行させる画像形成装置を容易に選択することができる。
また、画像形成装置１０が生成した識別子を、コード記号としてユーザに提示するようにすれば、携帯情報端末等によりそのコード記号を読み取らせることにより、ユーザは、メモや記憶に頼ることなく識別子を持ち運び可能となる。
【００８４】
また、画像形成装置２０への入力を、その携帯端末装置に表示させたコード記号や文字を読み取らせることにより行うようにすれば、間違いのない識別子を容易に入力することができる。
また、画像形成装置１０が、画像形成装置２０へ送信した機密ジョブを消去するようにすれば、画像形成装置２０に実行させたジョブを、画像形成装置１０が重複して実行してしまうことがない。また、画像形成装置１０の記憶領域を無駄に占有することもない。
【００８５】
次に、上述した実施形態のいくつかの変形例について説明する。
図１１に、本発明の実施形態の第１変形例における、図４の機能ブロック図と対応する機能ブロック図を示す。
図１１の例では、図４の例に比べ、画像形成装置１０のジョブ実行完了受信部１４２と、画像形成装置２０のジョブ実行完了送信部２０５が追加されている。
【００８６】
ジョブ実行完了送信部２０５は、画像形成装置１０から取得したジョブの実行が完了すると、取得先の画像形成装置１０にジョブ実行完了通知を送信する機能を有する。ジョブ実行完了受信部１４２は、画像形成装置２０が送信した、この通知を受信する機能を有する。
また、画像形成装置１０のジョブ消去部１４１は、ジョブ送信部１４０が画像形成装置２０に機密ジョブを送信した後であって、当該画像形成装置２０からジョブ実行完了受信部１４２がジョブ実行完了通知を受信した後に、該当の機密ジョブを消去する。
【００８７】
図１２は、この第１変形例における、図９の処理と対応する処理を示す。
ステップＳ５１乃至Ｓ５３の処理は図９と同じである。この変形例では、画像形成装置１０のＣＰＵ１０２がステップＳ５３の処理を行った後に、ステップＳ５４の処理ではなく、以下のステップＳ５５、Ｓ５６の処理を行う。
【００８８】
まず、ステップＳ５３で機密ジョブを送信した後、画像形成装置１０のＣＰＵ１０２は、機密ジョブの送信先の画像形成装置２０から当該機密ジョブの実行が完了したという通知を受信する（Ｓ５５）。ＣＰＵ１０２はこの完了通知を受信すると、保存してあったその機密ジョブを消去する処理を行い（Ｓ５６）、図１２の処理を終了する。
【００８９】
このように、送信先の画像形成装置２０におけるジョブの実行完了を確認してから画像形成装置１０でジョブを消去するようにすれば、上述した実施形態の効果に加え、以下の効果が得られる。すなわち、画像形成装置２０で万一ジョブが実行できない場合には、ジョブが画像形成装置１０に残されるので、さらに他の装置でジョブの実行を試みることができる。
【００９０】
次に、図１３に、本発明の実施形態の第２変形例における、図７の処理と対応する処理を示す。
図１３のステップＳ３１乃至Ｓ３８の処理は図７と同じである。この変形例では、ＣＰＵ１０２がステップＳ３７の処理を行った後に、ステップＳ３９とＳ４０の処理を行う。
【００９１】
ステップＳ３９では、ＣＰＵ１０２が、ステップＳ３５で生成したリスト及びステップＳ３６で生成した識別子を、ステップＳ３３で選択した機密ジョブの実行指示を出した装置（例えばＰＣ３０）に送信するか否かを判断する（Ｓ３９）。この判断は、ユーザからの指示に基づき行う。例えば、送信するか否かの指示を受け付ける画面をタッチパネル１２６に表示させてその指示を受け付けるとよい。あるいは、画像形成装置１０においてなされている、送信を行うか否かの設定に基づき行うこともできる。この設定は、画像形成装置１０の管理者等が行うことができるようにするとよい。
【００９２】
ステップＳ３９で送信する場合（Ｙｅｓ）、画像形成装置１０のＣＰＵ１０２は、ステップＳ３５で生成したリスト及びステップＳ３６で生成した識別子を、機密ジョブの実行指示を出した装置に送信し（Ｓ４０）、図１３の処理を終了する。送信しない場合には、そのまま図１３の処理を終了する。なお、ステップＳ４０での送信先は、図６のステップＳ２２の処理において、ジョブを保存する際にその実行指示元の装置のアドレスを保存しておき、そのアドレスを用いるようにするとよい。また、ステップＳ４０で送信された識別子を受信したＰＣ３０等の装置は、ポップアップ画面等により、その識別子をユーザに提示する。
識別子をＰＣに送信することで、ユーザが識別子をその場で覚えたり、メモをとったりする手間が解消される。自身のＰＣを操作して、識別子の文字あるいはコード記号を印刷して持ち運ぶこともできる。機密ジョブの実行指示元が、携帯端末装置である場合には、ユーザは、ジョブの実行を指示してその場で識別子を取得できるので、このことの効果が特に大きい。
【００９３】
なお、これらのリスト及び識別子の送信先は、予め設定しておけば、ユーザが使用可能な携帯端末等、実行指示元以外の装置であってもよい。
【００９４】
以上で実施形態の説明を終了するが、この発明において、装置及びシステムの具体的な構成、装置の台数、装置が有する機能、具体的な処理の手順、データの記憶形式等は、実施形態で説明したものに限るものではない。
例えば、この発明は、画像形成以外のジョブを取り扱う場合にも問題なく適用可能である。そして、ジョブを実行する装置が画像形成を行う必要がない場合、上述した画像形成装置１０及び画像形成装置２０に対応する装置は、画像形成機能を有しない装置であってよい。通信機能と、必要なジョブを実行する機能を備えた、任意の通信装置あるいは電子装置であってよい。ただし、この発明は、ジョブの実行結果をユーザが装置から取得して持ち去ることができる場合に適用することが有用である。
【００９５】
また、画像形成システムは、画像形成装置１０及び画像形成装置２０によって構成し、ＰＣ３０は外部からジョブの実行を要求する装置であると捉えることもできる。
また、上述した実施形態における画像形成装置１０、画像形成装置２０及びＰＣ３０の機能は、一部を外部装置に持たせるなど、複数の情報処理装置に分散して設けることも考えられる。
【００９６】
また、この発明のプログラムの実施形態は、コンピュータに所要のハードウェアを制御させて上述した実施形態における画像形成装置１０あるいは画像形成装置２０の機能を実現させるためのプログラムである。
【００９７】
このようなプログラムは、はじめからコンピュータに備えるＲＯＭや他の不揮発性記憶媒体（フラッシュメモリ，ＥＥＰＲＯＭ等）などに格納しておいてもよい。しかし、メモリカード、ＣＤ、ＤＶＤ、ブルーレイディスク等の任意の不揮発性記録媒体に記録して提供することもできる。それらの記録媒体に記録されたプログラムをコンピュータにインストールして実行させることにより、上述した各手順を実行させることができる。
【００９８】
さらに、ネットワークに接続され、プログラムを記録した記録媒体を備える外部装置あるいはプログラムを記憶手段に記憶した外部装置からダウンロードし、コンピュータにインストールして実行させることも可能である。
また、以上説明してきた各実施形態、動作例及び変形例の構成は、相互に矛盾しない限り任意に組み合わせて実施可能であることは勿論である。
【符号の説明】
【００９９】
Ａ：ネットワーク，１０：画像形成装置，２０：画像形成装置，３０：ＰＣ，１０２：ＣＰＵ，１０４：ＲＯＭ，１０５：ＨＤＤ，１０６：ネットワークＩ／Ｆ，１０７：オプションＩ／Ｆ，１０８：操作部Ｉ／Ｆ，１１０：画像処理・エンジン制御部，１１１：画像読取部，１１２：プロッタ部，１２０：操作部，１２１：認証装置
【先行技術文献】
【特許文献】
【０１００】
【特許文献１】特開２００５−３２７１２３号公報
【図１】
2016037000.tif 000003
【図２】
2016037000.tif 000004
【図３】
2016037000.tif 000005
【図４】
2016037000.tif 000006
【図５】
2016037000.tif 000007
【図６】
2016037000.tif 000008
【図７】
2016037000.tif 000009
【図８】
2016037000.tif 000010
【図９】
2016037000.tif 000011
【図１０】
2016037000.tif 000012
【図１１】
2016037000.tif 000013
【図１２】
2016037000.tif 000014
【図１３】
2016037000.tif 000015